(57)【要約】      （修正有）【課題】人物又は愛玩動物を記念することを目的とする額に関し、記念の対象となる人物又は愛玩動物の愛用品を該人物又は愛玩動物の肖像・記念碑・遺骨収納体・芳香剤収納体・遺品等と共に展示物として収納し、該展示物を美しく保存及び展示することにより、該人物又は愛玩動物を記念することができる額を提供する。【解決手段】記念の対象となる人物又は愛玩動物の愛用品を展示物として収納した額１は、展示物２と、クッション材３と、支持材と、ゴム材と、基板と、被覆板７と、枠体８とからなる。展示物２は、クッション材３を貫通する支持材を介してゴム材に固定されている。クッション材３は、植毛加工が施された表面に展示物収納窪み部３ａが穿設されている。基板の周縁には枠体７が取り付けられており、被覆板８が展示物２を覆うように枠体７に取り付けられている。【選択図】図１
0003147823.tif 000002
【実用新案登録請求の範囲】
【請求項１】
記念の対象となる人物又は愛玩動物の愛用品を展示物として収納した額であって、展示物と、クッション材と、ゴム材と、支持材と、基板と、被覆板と、枠体とからなり、該展示物は、記念の対象となる人物又は愛玩動物の愛用品であり、その全部又は一部が、該支持材の一端に固定されており、該支持材の他端は、該展示物と該クッション材の上面との間に空隙を生じるように、該クッション材を貫通して、該基板の上面に載置された該ゴム材に固定されており、該額の内部に敷き詰められた該クッション材は、植毛加工を施された上面に該展示物を収納するための凹状の窪み部が穿設されており、該枠体は、該基板の周縁に取り付けられており、該被覆板は該展示物を覆うように該枠体に取り付けられていることを特徴とする額。
【請求項２】
請求項１に係る額であって、額の内部に乾燥剤を収納することを特徴とする請求項１に記載の額。
【請求項３】
前記展示物たる愛用品が、記念の対象となる人物の所有に係る腕時計を構成していた部品の全部又は一部とすることを特徴とする請求項１又は２に係る額。
【請求項４】
前記展示物たる愛用品が、記念の対象となる人物の所有に係る携帯電話機を構成していた部品の全部又は一部とすることを特徴とする請求項１又は２に係る額。
【請求項５】
前記展示物たる愛用品が、記念の対象となる人物の所有に係るサーフボード用フィンとすることを特徴とする請求項１又は２に係る額。
【請求項６】
前記展示物たる愛用品が、記念の対象となる愛玩動物が身に付けていた首輪であり、該クッション材の窪み部の底面は該クッション材の下面に向かって傾斜面となっており、該首輪は、締結状態として、該傾斜面に沿って傾斜をつけて展示し、該首輪には防カビ剤を塗布し、及び／又は、該額の内部に防カビ剤を収納することを特徴とする請求項１又は２に係る額。
【請求項７】
前記展示物に、記念の対象となる人物又は愛玩動物に係る肖像、記念碑、遺骨収納体、芳香剤収納体、若しくは遺品の内の全部若しくは一部を加えることを特徴とする請求項１から６までの何れかに記載の額。
【考案の詳細な説明】
【技術分野】
【０００１】
本考案は、人物又は愛玩動物を記念することを目的とする額に関し、記念の対象となる人物又は愛玩動物の愛用品を該人物又は愛玩動物の肖像・記念碑・遺骨収納体・芳香剤収納体等と共に展示物として収納し、該展示物を美しく保存及び展示することにより、該人物又は愛玩動物を記念することができる額に関する。
【背景技術】
【０００２】
従来、人物又は愛玩動物を記念することを目的として、記念の対象となる人物又は愛玩動物の愛用品を展示物として収納した額等の装飾品は存在している。例えば、表彰状等の証明書を装飾体と共に展示物として収納した額（例えば、特許文献１参照。）、水性系接着剤を塗布して乾燥させた靴等の愛用品を展示物として透明ケースに収納した置物（例えば、特許文献２参照。）、写真と愛用品とを展示物として収納した額（例えば、特許文献３参照。）、写真立てと遺骨収納体とを載置した飾り台（例えば、特許文献４参照。）、あるいは遺品の和服等のミニチュアを作成し展示物として透明ケースに収納した置物（例えば、特許文献５参照。）等が存在する。
【０００３】
【特許文献１】実登第３０３９０８０号公報
【特許文献２】特開第２００５−２８８６２号公報
【特許文献３】実登第３１１５２７７号公報
【特許文献４】実登第３１２１１４２号公報
【特許文献５】特開第２００７−２５２８６５号公報
【０００４】
ここで、記念の対象となる人物の愛用品を展示物として収納した額において、展示物となる愛用品としては、前記の従来技術にもあるとおり、様々な物品が考えられるところであるが、特に、記念の対象となる人物が愛用していた腕時計並びに携帯電話機を分解した部品を展示物として収納することが考えられる。
【０００５】
完成品としての腕時計及び携帯電話機は、一般に、看者に美感を生じさせるものであるところ、例えば、店舗等において、その販売促進等を目的として、展示されてきたところである。一方、腕時計及び携帯電話機を構成する部品は、一般に、看者に美感を生じさせることが少ないと考えられたためか、例えば、店舗等において展示されてはこなかったし、まして観賞の対象ともされてこなかったところである。しかしながら、実際には、腕時計及び携帯電話機の部品は、それ自身機能美に溢れており、腕時計及び携帯電話機として組み立てられていなくても、その展示の仕方等によっては、十分に看者に美感を生じさせ得るのである。
【０００６】
また、腕時計又は携帯電話機の所有者は、所有していた腕時計又は携帯電話機が、特に、故障等のため修繕しても使用できなくなってしまった等の事情がある場合には、これをそのまま放置するか、廃棄若しくは購入した店舗に引き取ってもらう等して処分する他なかった。しかしながら、腕時計及び携帯電話機は、通常、長期間に亘って使用する物品であると同時に、所有者の愛着も湧くものであるから、その所有者は腕時計又は携帯電話機の処分を躊躇することが多かった。とりわけ、腕時計又は携帯電話機の所有者が故人である場合、故人の所有していた腕時計又は携帯電話機にたとえ上記のような事情が生じたとしても、該所有者の遺族等は遺品となった腕時計又は携帯電話機の処分を躊躇するのが尚更であった。結局のところ、腕時計又は携帯電話機の所有者等は、上記の理由から、故障等のため修繕しても使用できなくなってしまった等の事情のある腕時計又は携帯電話機をそのまま放置せざるを得なかったのである。
【０００７】
しかしながら、上記の通り、腕時計又は携帯電話機は、一般に、長期間に亘って使用する物品であると同時に、その所有者の愛着が湧くものであるから、腕時計又は携帯電話機を構成する部品もまた、その所有者を記念するには最適な素材なのである。そこで、腕時計又は携帯電話機の所有者、及び該所有者が故人である場合にはその遺族等は、記念の対象となる人物が所有していた腕時計又は携帯電話機を構成している部品を長期に亘って美しく保存することを希望し、更には、ただ単に保存するだけでなく、いつでも目に触れられるように美しく展示することを希望するのである。
【０００８】
また、記念の対象となる人物の愛用品を展示物として収納した額において、記念の対象となる人物がサーフィンの愛好者である場合、サーフボード用フィンを展示物として収納することが考えられる。
【０００９】
サーフボードには模様等の描かれているものも多くあるところ、このような装飾性に富んだサーフボードは看者に美感を生じさせるものである。そこで、従来、サーフィンの愛好者の間では、自己の所有に係るサーフボードを装飾品として屋内外に展示すること等が行われてきたところである。しかしながら、サーフボードは、少なくとも、その長さが１５０センチメートル以上あるとともに、その幅が４０センチメートル以上もあるために、例えば屋内外の壁面に取り付ける等して、看者が観賞し易いように展示することが困難であった。また、サーフボードは、上記のような大きさを有している物品であることから、汚損を防止するために額等に収納することも困難であった。
【００１０】
この点、サーフボード用フィンは、サーフボードの下面という目立たない箇所に取り付けられる部品であるためか、従来、観賞の対象として顧みられてこなかったところである。しかしながら、サーフボード用フィンもまた、模様等の描かれているものも多くあるところ、このような装飾性に富んだサーフボード用フィンは、看者に美感を生じさせるものである。また、サーフボード用フィンは、その長さと幅がそれぞれ約１０センチメートル程度であるために、サーフボードに比して、汚損を防止するために額等に収納し、これを壁面に取り付ける等して看者が観賞し易いように展示することも容易である。
【００１１】
上記の通り、サーフボード用フィンは、その所有者であるサーフィンの愛好者を記念するには最適な素材であるところ、その所有者、及び該所有者が故人である場合にはその遺族等は、記念の対象となる人物が所有していたサーフボード用フィンを長期に亘って美しく保存することを希望し、更には、ただ単に保存するだけでなく、いつでも目に触れられるように美しく展示することを希望するのである。
【００１２】
また、記念の対象となる愛玩動物の愛用品を展示物として収納した額において、展示物となる愛用品としても、前記の従来技術にもあるとおり、様々な物品が考えられるところであるが、特に、記念の対象となる愛玩動物が身に付けていた首輪を展示物として収納することが考えられる。
【００１３】
愛玩動物の首輪は、模様等が付されることにより優れた装飾性を備えるものがあるとともに、愛玩動物が長期間に亘って身に付けているものであるから、その愛玩動物を記念するには最適な素材である。そこで、愛玩動物の飼い主は、愛玩動物が身に付けていた首輪を長期に亘って美しく保存することを希望し、更には、ただ単に保存するだけでなく、いつでも目に触れられるように展示することを希望するのである。
【考案の開示】
【考案が解決しようとする課題】
【００１４】
上記のとおり、従来技術に係る人物を記念することを目的とする額には、記念の対象となる人物又は愛玩動物の愛用品を展示物として収納した額が存在するが、該展示物を美しく保存及び展示するための手段を講じた額は存在していなかった。
【００１５】
本考案が解決しようとする課題は、記念の対象となる人物又は愛玩動物の愛用品を展示物として収納することにより人物又は愛玩動物を記念することを目的とする額に関し、該展示物を美しく保存及び展示する手段を講じた額を提供するところにある。
【課題を解決するための手段】
【００１６】
本考案の課題を解決するため、請求項１に係る記念の対象となる人物又は愛玩動物の愛用品を展示物として収納した額は、展示物と、クッション材と、ゴム材と、支持材と、基板と、被覆板と、枠体とからなる。該展示物は、記念の対象となる人物又は愛玩動物の愛用品であり、その全部又は一部が、該支持材の一端に固定されている。該支持材の他端は、該展示物と該クッション材の上面との間に空隙を生じるように、該クッション材を貫通して、該基板の上面に載置された該ゴム材に固定されている。該クッション材は、該額の内部に敷き詰められており、植毛加工を施された上面には該展示物を収納するための凹状の窪み部が穿設されている。該枠体は、該基板の周縁に取り付けられており、該被覆板は該展示物を覆うように該枠体に取り付けられている。
【００１７】
請求項２に係る額は、請求項１に係る額であって、該額の内部に乾燥剤を収納するものとする。
【００１８】
請求項３に係る額は、請求項１又は２に係る額であって、該展示物たる愛用品は、記念の対象となる人物の所有に係る腕時計を構成していた部品の全部又は一部とする。
【００１９】
請求項４に係る額は、請求項１又は２に係る額であって、該展示物たる愛用品は、記念の対象となる人物の所有に係る携帯電話機を構成していた部品の全部又は一部とする。
【００２０】
請求項５に係る額は、請求項１又は２に係る額であって、該展示物たる愛用品は、記念の対象となる人物の所有に係るサーフボード用フィンとする。
【００２１】
請求項６に係る額は、請求項１又は２に係る額であって、該展示物たる愛用品は、記念の対象となる愛玩動物が身に付けていた首輪とする。該クッション材の窪み部の底面は該クッション材の下面に向かって傾斜面となっており、締結状態とした該首輪を該傾斜面に沿って傾斜をつけて展示するものとする。該額は、該首輪に防カビ剤を塗布し、及び／又は、該額の内部に防カビ剤を収納する。
【００２２】
請求項７に係る額は、請求項１から６までに係る額であって、前記展示物に、前記記念の対象となる人物又は愛玩動物に係る肖像、記念碑、遺骨収納体、芳香剤収納体、若しくは遺品の内の全部又は一部を加えるものとする。
【考案の効果】
【００２３】
請求項１に記載した本考案に係る額は、上記の通りの構成であるから、以下のような効果を奏することができる。
【００２４】
請求項１に記載した額は、該展示物の一部又は全部について支持材を介して該クッション材に固定するものであるから、該額に立体感が生じ、もって、看者に生じる美感を増大させることができる。また、該展示物を該クッション材に固定するに当たり固定手段として接着剤を用いる場合において、該展示物と該クッション材とを接着材により直接接着したとき、とりわけ、該展示物の大きさが小さいものであるときには、接着面からはみ出した接着剤が硬化することにより、該クッション材の上面を汚すおそれがある。しかしながら、本考案に係る額は、該展示物の一部又は全部について支持材を介して該クッション材に固定するものであるから、該展示物と該クッション材との接着面からはみ出た接着剤が該クッション材の上面を汚すことを防止することができる。
【００２５】
更に、請求項１に記載した額は、該クッション材における該展示物を展示する部分が凹状に窪んでいるため、該額に生じる立体感が更に増すとともに、該クッション材の上面には植毛加工が施されているため、該額には高級感が生じ、もって、看者に生じる美感を一層増大させることができる。
【００２６】
従って、請求項１に記載した額は、記念の対象となる人物又は愛玩動物の愛用品を展示物として収納することにより人物又は愛玩動物を記念することを目的とする額に関し、該展示物を美しく保存及び展示する手段を講じた額を提供するという本考案の課題を解決することができる。
【００２７】
請求項２に係る額は、請求項１に係る額であって、該額の内部に乾燥剤を収納するものである。該額内部の湿度の度合いによっては、該展示物が金属製品である場合には、該展示物に錆の生じる可能性があり、また、該展示物が皮革製品である場合には、該展示物にカビの生じる可能性がある。そこで、請求項２に係る額は、額内部に乾燥剤を収納して、額内部の湿度を低下させることにより、該展示物への錆又はカビの発生を防止することができ、もって、該展示物を美しく保存及び展示することができるから、好適である。
【００２８】
請求項３に係る額は、請求項１又は２に係る額であって、記念の対象となる人物の所有に係る腕時計を構成していた部品を該展示物たる愛用品とするものである。上記の通り、腕時計を構成する部品はそれ自身機能美を有する物品であり、かつ、その腕時計の所有者を記念するには最適な素材であるから、人物を記念することを目的とする額に関し、記念の対象となる人物の愛用品たる腕時計を構成する部品を展示物として収納することが、好適である。
【００２９】
請求項４に係る額は、請求項１又は２に係る額であって、記念の対象となる人物の所有に係る携帯電話機を構成していた部品を該展示物たる愛用品とするものである。上記の通り、腕時計を構成する部品と同様に、携帯電話機を構成する部品もまたそれ自身機能美を有する物品であり、かつ、その携帯電話機の所有者を記念するには最適な素材であるから、人物を記念することを目的とする額に関し、記念の対象となる人物の愛用品たる携帯電話機を構成する部品を展示物として収納することが、好適である。
【００３０】
請求項５に係る額は、請求項１又は２に係る額であって、記念の対象となる人物の所有に係るサーフボード用フィンを該展示物たる愛用品とするものである。上記の通り、サーフボード用フィンは、装飾性に富んだ物品であり、かつ、記念の対象となる人物がサーファーである場合には該所有者を記念するには最適な素材であるとともに、サーフボードよりも額に収納することが容易であることから、人物を記念することを目的とする額に関し、記念の対象となる人物の愛用品たるサーフボード用フィンを展示物として収納することが、好適である。
【００３１】
請求項６に係る額は、請求項１又は２に係る額であって、記念の対象となる愛玩動物の身に付けていた首輪を該展示物たる愛用品とするものである。上記の通り、愛玩動物の首輪もまたそれ自体で装飾性に富んだものがあり、かつ、愛玩動物が長期間に亘って身に付けているものであるから、その愛玩動物を記念するには最適な素材であることから、記念の対象となる愛玩動物の身に付けていた首輪を展示物として収納することが、好適である。また、一般に、愛玩動物用の首輪の模様は、該首輪を締結状態にした場合における外側面に描かれることが多いところ、該クッション材の窪み部の底面を該クッション材の下面に向けて傾斜面とし、締結状態にした該首輪を該傾斜面に沿って傾斜をつけて展示することにより、看者は該首輪に描かれた模様を見易く観賞することができ、好適である。加えて、愛玩動物用の首輪は皮革製品であることが多いところ、本考案に係る額に収納した場合にカビの発生する可能性が高いため、展示物たる該首輪に防カビ剤を塗布し、及び／又は、該額の内部に防カビ剤を収納することが、好適である。
【００３２】
請求項７に係る額は、請求項１から６までに係る額であって、前記展示物に、前記記念の対象となる人物又は愛玩動物に係る肖像、記念碑、遺骨収納体、芳香剤収納体、若しくは遺品の内の全部若しくは一部を加えるものであるから、該愛用品を美しく保存及び展示することができるとともに、看者に記念の対象となる人物又は愛玩動物に係る思い出を一層強く想起させることができる。
【考案を実施するための最良の形態】
【００３３】
まず、本考案に係る愛用品展示額の第一実施形態について添付図面に基づいて以下に説明する。図１は、本考案の第一実施形態に係る愛用品展示額を示した全体斜視図である。図２は、図１のＡ−Ａ線断面図である。図３は、本考案の第一実施形態に係る愛用品展示額に用いる支持材の一形状を示した拡大斜視図である。
【００３４】
図１に記載した本考案の第一実施形態に係る額１は、展示物２と、クッション材３と、支持材４と、ゴム材５と、基板６と、枠体７と、被覆板８と、乾燥材９とから構成される。
【００３５】
額１は、図１では、その平面視全体形状が横長の長方形状であるが、需要者の希望又は展示物２の形状若しくは配置等に応じて、その平面視全体形状を円形状等様々な形状にすることも可能である。
【００３６】
展示物２は、記念の対象となる人物の所有していた腕時計を構成していた腕時計構成部品２ａと、該人物の肖像２ｂと、該人物に関する情報を記録した記念碑２ｃと、該人物の遺骨を収納した遺骨収納体２ｄと、芳香剤を内部に収納した芳香剤収納体２ｅと、該人物の所有していた遺品２ｆとからなる。
【００３７】
腕時計構成部品２ａは、記念の対象となる人物が所有していた腕時計を分解することにより作り出される。腕時計構成部品２ａは、該腕時計を構成していた全ての部品から形成することもできるが、需要者の希望又は該腕時計の部品の汚損等をはじめとする諸事情に応じて、該腕時計を構成していた一部の部品から形成することもできる。また、腕時計の部品２ａは、額１に収納する前に、付着している汗や埃等の汚れをとるため、容器内の液体中に投入した被洗浄物を超音波により振動させて洗浄を行なう超音波洗浄機等により洗浄するのが好適である。
【００３８】
肖像２ｂは、記念の対象となる人物又はその遺族等がその破損に強い嫌悪感を有するものと考えられるところ、容易に破損等することのないように、そして、肖像２ｂの芸術的な美しさを高めるために、石材等の強固な材料によって形成するか、あるいは、アクリル樹脂材、ガラス材等の透明性のある材料によって形成する。特に、肖像２ｂは、黒色の御影石により形成すると、容易に破損等することがなく、かつ、芸術的観点からも好適であるが、肖像２ｂの素材は特に限定されるものではない。肖像２ｂは、例えば、点刻等による手彫り若しくはルーター加工により、石材、アクリル樹脂材等を記念の対象となる人物の顔形に切削して作製してもよいし、あるいは、レーザー光線をアクリル樹脂材やガラス材等に当ててその部分を加熱し白濁させることによって記念の対象となる人物の顔形を点描して作製してもよく、その作製手段は特に限定されるものではない。
【００３９】
記念碑２ｃは、黒色の御影石をはじめとする石材、アクリル樹脂材、ガラス材等で形成することが、看者に生じる美感性を向上させるという観点からは好適であるが、特に限定されるものではない。図１に図示するように、記念碑２ｃには、例えば、記念の対象となる人物の家紋、生年月日、没年月日等の情報を記録するが、記念の対象となる人物に関する情報であれば、特にこれらに限定するものではない。情報を記録する手段は、上記の肖像２ｂの作製手段と同様に、手彫りで彫刻してもよいし、あるいは、レーザー光線をアクリル樹脂材やガラス材等に当ててその部分を加熱し白濁させることによって点描してもよく、その記録手段は特に限定されるものではない。
【００４０】
遺骨収納体２ｄは、記念の対象となる人物の遺骨を内部に収納した容器である。遺骨収納体２ｄとしては、図１に図示するように、例えば、有底筒状の本体と蓋とからなる容器に記念の対象となる人物の遺骨の一部を収納したものを用いることができる。
【００４１】
芳香剤収納体２ｅとしては、図１に図示するように、例えば、側面に穴が穿設された有底筒状の本体と蓋とからなる容器に芳香性のある乾燥させた草花を収納したポプリを用いることができる。尚、額１の全体的な大きさ、あるいは、その他の展示物２の大きさ若しくは配置等の事情から、額１の内部に図示するようなポプリを収納することができない場合には、ポプリに代えて、香水を含浸させたスポンジ材を芳香剤収納体２ｅとして額１の内部に収納してもよい。特に、この場合において、記念の対象となる人物の使用に係る香水を用いたときには、看者は、視覚だけでなく、嗅覚によっても記念の対象となる人物を想起することができ、一層、好適である。
【００４２】
遺品２ｆには、図１及び２に図示するように、例えば、結婚指輪又は婚約指輪等が考えられるが、その他にも、ネクタイピン、カフスボタン、ネックレス、イヤリング、かんざし、眼鏡、パイプ、万年筆等が考えられ、記念の対象となる人物の愛用品であって、かつ、額１に収納できるものであれば、特に限定されるものではない。また、例えば、結婚指輪と婚約指輪あるいは結婚指輪とネクタイピンのように、同種又は異種の二以上の物品を組み合わせて遺品２ｆとすることも可能である。
【００４３】
尚、展示物２は、需要者の好みや展示物２の大きさ等に応じて、その配置を決めることができ、図１に図示した配置に限定されるものではない。
【００４４】
クッション材３は、展示物２を収納するための部材であり、図２に図示するように、ゴム材５の上面に載置されている。クッション材３は、展示物２の破損を防止するため、ポリエチレンフォーム、ウレタンフォーム、ゴムスポンジ、ＥＶＡスポンジ等各種のスポンジ材料あるいはゴム等の柔軟性及び弾力性を備えた材料から形成される。
【００４５】
クッション材３は、図１及び２に図示するように、凹状に窪んだ展示物収納窪み部３ａが穿設されており、展示物２を収納した際に、額１に立体感を生じさせ、額１が看者に生じさせる美感を一層高めることができる。図１及び２では、腕時計構成部品２ａを収納するための展示物収納窪み部３ａが平面視扇状に穿設されているが、窪みの形状は特に限定されるものではない。また、図１及び２に図示するように、下記の支持材４を介してクッション材３に固定することを行わない展示物２については、展示物２の形状に合わせた形状に穿設された展示物収納窪み部３ａに収納し、展示することもできる。
【００４６】
また、クッション材３は、その上面に植毛加工を施すと、展示物２の備える機能美又は芸術美を更に引き立たせることができ、また、額１が看者に与える高級感を高めることができる。植毛加工の手段としては、例えば、クッション材３の上面に接着剤を塗布し、高圧電界内で短繊維（パイル）を垂直に静電吸着させるといった公知の植毛加工の手段を用いることができる。
【００４７】
支持材４は、展示物２をゴム材５に固定するための部材である。支持材４としては、例えば、図３に図示するように、展示物４の底面形状に合わせて成形した平板上の台座４ａと、台座４ａの下面に取り付けられた先端が鋭利な針状体４ｂとからなる部材を用いることができる。図２に図示するように、台座４ａの上面には展示物２が接着材等により固着されており、また、針状体４ｂは、クッション材３を貫通し、その先端がゴム材５に突き刺されている。尚、図２に図示するように、針状体４ｂの長さ、ゴム材５への突刺し深度等を調節することにより、台座４ａの下面とクッション材３の上面との間に空隙が生じるようにする。
【００４８】
その他、支持材４としては、一端が鋭利なＬ字型の線材を用い、その一端をゴム材５に突き刺して固定し、かつ、他端の側面に展示物２を接着剤で接着することにより、支持材４を介して額１に展示物２を固定することも可能である。あるいは、支持材４としては、平板の中央部が柱状に盛り上がったその縦断面形状が逆Ｔ字型の部材を用い、該中央部の上面に展示物２を接着し、かつ、該平板の下面をゴム材５の上面に接着することにより、支持材４を介して額１に展示物２を固定することも可能である。
【００４９】
尚、上記のような形状をした支持材４の一種類のみを使用することはもとより、数種類を組み合わせて使用することも可能である。また、図２では、展示物２のクッション材３の上面からの高さ位置が一定であるが、該高さ位置を異なるものとして、看者の視覚を更に楽しませることもできる。
【００５０】
ゴム材５は、額１に支持材４を固定するための部材であり、図２に図示するように、基板６の上面に載置されている。ゴム材５は、公知の平板状のゴム板を用いることができ、支持材５を固定した際に、支持材４が容易に転倒することがなく、かつ、支持材４が容易に突き刺さる程度の厚さと硬度を有するゴム板であれば、特に限定されるものではない。また、図２では、ゴム材５が基板６の上面全体に敷き詰められているが、支持材４を固定する箇所にのみゴム材５を敷くこともできる。
【００５１】
基板６は、木板等の板状の材料から形成され、図２に図示するように、ゴム材５が基板６の上面に載置される。
【００５２】
枠体７は、木材等から形成され、図１及び２に図示するように、基板６の周縁に取り付けられている。図では、基板６とは別個に作製された枠体７に基板６が嵌め込まれているが、基板６と枠体７とを一体的に成形することも可能である。
【００５３】
被覆板８は、看者が展示物２を観賞することができるように、ガラス板、プラスチック板等の透明な板材から形成し、図１及び２に図示するように、展示物２を覆うように枠体７に取り付けられている。
【００５４】
尚、額１は、基板６と、枠体７と、被覆板８とを相互に取り外しできるように、例えば、組立式等の構造にしておくと、額１内部の清掃及び乾燥剤９の交換等を行うことができ、好適である。
【００５５】
乾燥剤９は、額１内部の湿度を下げることにより、展示物２への錆及びカビの発生を防止するためのものである。乾燥材９としては、例えば、公知の袋入りのシリカゲル等を用いることができるが、特に限定されるものではない。乾燥材９は、図２に図示するように、例えば、ゴム材５の裏面と基板６の上面との間に空隙を設け、該空隙内に乾燥剤９を収納すると、額１の外観上の美しさを損なうことなく、額１内部の湿度の度合いを低下させることができ、好適である。尚、図２では、乾燥剤９は、額１のＡ−Ａ線断面において、左右に一つずつ設けられた空隙内に収納されているが、乾燥剤９の収納箇所及び収納数は特に限定されるものではない。
【００５６】
以上が、本考案に係る愛用品展示額の第一実施形態についての説明である。次に、本考案に係る愛用品展示額の第二実施形態について添付図面に基づいて以下に説明する。図４は、本考案の第二実施形態に係る愛用品展示額を示した全体斜視図である。図５は、図４のＡ−Ａ線断面図である。尚、第二実施形態は、下記の事項以外、前記の第一実施形態と同一である。
【００５７】
本考案に係る愛用品展示額の第二実施形態において展示物２たる愛用品は、記念の対象となる人物の所有に係る携帯電話機を構成していた携帯電話機構成部品２ｇである。携帯電話機構成部品２ｇは、記念の対象となる人物が所有していた携帯電話機を分解することにより作り出される。携帯電話機構成部品２ｇは、該携帯電話機を構成していた全ての部品から形成することもできるが、需要者の希望又は該腕時計の部品の汚損等をはじめとする諸事情に応じて、該携帯電話機を構成していた一部の部品から形成することもできる。携帯電話機構成部品２ｇは、額１に収納する前に、電気掃除機や刷毛等により付着している埃等をとるのが好適である。
【００５８】
以上が、本考案に係る愛用品展示額の第二実施形態についての説明である。次に、本考案に係る愛用品展示額の第三実施形態について添付図面に基づいて以下に説明する。図６は、本考案の第三実施形態に係る愛用品展示額を示した全体斜視図である。図７は、図６のＡ−Ａ線断面図である。図８は、第三実施形態に係る支持材を取り外した状態を示した拡大斜視図である。図９は、第三実施形態に係る支持材を取り付けた状態を示した拡大斜視図である。尚、第三実施形態は、下記の事項以外、前記の第一実施形態と同一である。
【００５９】
本考案に係る愛用品展示額の第三実施形態において展示物２たる愛用品は、図６に図示するように、記念の対象となる人物の所有に係るサーフボード用フィン２ｈである。また、図６に図示するように、サーフボード用フィン取付具２ｉも併せて展示すると、サーフィンの愛好者を記念するという観点からは、好適である。
【００６０】
本考案に係る愛用品展示額の第三実施形態における支持材４は、図８及び９に図示するように、柱状の部材であり、一端が半円状に屈曲成形された展示物係止部４ｃとなっているとともに、他端が雄ねじを切ったねじ状部４ｄとなっている。支持材４は、ねじ状部４ｄがゴム材５にねじ込まれており、また、ナット１０による締付けが為されている。ナット１０とゴム材５との間には、座金１１が挟み込まれている。
【００６１】
サーフボード用フィン２ｈは、図６及び７に図示するように、その端部が展示物係止部４ｃに係止され、その下面とクッション材３の上面との間に空隙が生じるように固定されている。尚、サーフボード用フィン２ｈは、図６に図示するように、少なくとも３箇所以上で支持材４による固定を行うと、姿勢が安定し、好適である。
【００６２】
以上が、本考案に係る愛用品展示額の第三実施形態についての説明である。最後に、本考案に係る愛用品展示額の第四実施形態について添付図面に基づいて以下に説明する。図１０は、本考案の第四実施形態に係る愛用品展示額を示した全体斜視図である。図１１は、図１０のＡ−Ａ線断面図である。図１２は、図１０のＢ−Ｂ線断面図である。尚、第三実施形態は、下記の事項以外、前記の第一実施形態と同一である。
【００６３】
本考案に係る愛用品展示額の第四実施形態において展示物２たる愛用品は、図１０に図示するように、愛玩動物が身に付けていた首輪２ｊである。首輪２ｊには、カビの発生を防止するために、防カビ剤を塗布し、及び／又は、該額の内部に防カビ剤を収納する。図１２に図示するように、展示物収納窪み部３ａの底面をクッション材３の下面に向かって傾斜面とし、かつ、首輪２ｊを締結状態にした上で該傾斜面に沿って傾斜をつけて展示すると、看者が首輪に付された模様を見易く観賞することができ、好適である。
【００６４】
本考案に係る愛用品展示額の第四実施形態における支持材４は、図１１及び１２に図示するように、前記の第三実施形態における支持材４と同様であり、ゴム材５への取付け態様も前記の第三実施形態における取付け態様と同様である。
【００６５】
首輪２ｊは、図１０から１２までに図示するように、展示物係止部４ｃに係止され、クッション材３の上面との間に空隙が生じるように固定されている。
【図面の簡単な説明】
【００６６】
【図１】本考案の第一実施形態に係る愛用品展示額を示した全体斜視図である。
【図２】図１のＡ−Ａ線断面図である。
【図３】本考案の第一実施形態に係る愛用品展示額に用いる支持材の一形状を示した拡大斜視図である。
【図４】本考案の第二実施形態に係る愛用品展示額を示した全体斜視図である。
【図５】図４のＡ−Ａ線断面図である。
【図６】本考案の第三実施形態に係る愛用品展示額を示した全体斜視図である。
【図７】図６のＡ−Ａ線断面図である。
【図８】第三実施形態に係る支持材を取り外した状態を示した拡大斜視図である。
【図９】第三実施形態に係る支持材を取り付けた状態を示した拡大斜視図である。
【図１０】本考案の第四実施形態に係る愛用品展示額を示した全体斜視図である。
【図１１】図１０のＡ−Ａ線断面図である。
【図１２】図１０のＢ−Ｂ線断面図である。
【符号の説明】
【００６７】
１  額
２  展示物
２ａ  腕時計構成部品
２ｂ  肖像
２ｃ  記念碑
２ｄ  遺骨収納体
２ｅ  芳香剤収納体
２ｆ  遺品
２ｇ  携帯電話機構成部品
２ｈ  サーフボード用フィン
２ｉ  サーフボード用フィン取付具
２ｊ  首輪
３  クッション材
３ａ  展示物収納窪み部
４  支持材
４ａ  台座
４ｂ  針状体
４ｃ  展示物係止部
４ｄ  ねじ状部
５  ゴム材
６  基板
７  枠体
８  被覆板
９  乾燥剤
１０  ナット
１１  座金
【図１】
0003147823.tif 000003
【図２】
0003147823.tif 000004
【図３】
0003147823.tif 000005
【図４】
0003147823.tif 000006
【図５】
0003147823.tif 000007
【図６】
0003147823.tif 000008
【図７】
0003147823.tif 000009
【図８】
0003147823.tif 000010
【図９】
0003147823.tif 000011
【図１０】
0003147823.tif 000012
【図１１】
0003147823.tif 000013
【図１２】
0003147823.tif 000014